(57)【要約】【課題】  扇風機を利用して、消臭剤や芳香剤、害虫防除剤等の揮散性物質を生活空間に放散し、快適な生活空間を得るようにする際に、人が揮散性物質を直接浴びることがないようにして、人体への悪影響といった懸念をなくす。【解決手段】  内部に揮散性物質２を入れた揮散性物質放散用容器１に空気を流入する流入口４と空気を放出する放出口５とをそれぞれ備え、この揮散性物質放散用容器１を扇風機１０の吹き出し側に当該揮散性物質放散用容器１の流入口４を扇風機１０の吹き出し側に向けて取り付けると共に、揮散性物質放散用容器１の放出口５を扇風機１０により発生する送風気流の領域外に向けるようにして、揮散性物質放散用容器１内の揮散性物質２を扇風機１０より発生する送風気流の領域外に放散する。【選択図】  図１
2006325454.tif 000002
【特許請求の範囲】
【請求項１】
内部に揮散性物質２を入れた揮散性物質放散用容器１に空気を流入する流入口４と空気を放出する放出口５とをそれぞれ備え、この揮散性物質放散用容器１を送風機器の吹き出し側に当該揮散性物質放散用容器１の流入口４を送風機器の吹き出し側に向けて取り付けると共に、揮散性物質放散用容器１の放出口５を送風機器により発生する送風気流の領域外に向けるようにして、揮散性物質放散用容器１内の揮散性物質２を送風機器より発生する送風気流の領域外に放散するようにしたことを特徴とする揮散性物質放散用容器を用いた揮散性物質の放散方法。
【請求項２】
内部に揮散性物質２を入れた揮散性物質放散用容器において、
送風機器に当該揮散性物質放散用容器を着脱自在に取り付けるための係止部３１を備えると共に、当該揮散性物質放散用容器を送風機器に取り付けたとき、送風機器の吹き出し側に相対する位置に空気を流入する流入口４を備え、かつ送風機器により発生する送風気流の領域外に向く位置に空気を放出する放出口５を備え、この流入口４から放出口５につながる流通路６に揮散性物質２を配置することにより、揮散性物質２を放出口５から送風機器より発生する送風気流の領域外に放散するようにしたことを特徴とする揮散性物質放散用容器。
【請求項３】
前記揮散性物質２を揮散性物質保持体３に保持させて、この揮散性物質保持体３を当該揮散性物質放散用容器の内部に出し入れ自在に収納したことを特徴とする請求項２記載の揮散性物質放散用容器。
【請求項４】
前記揮散性物質２を害虫防除剤としたことを特徴とする請求項２又は請求項３記載の揮散性物質放散用容器。
【発明の詳細な説明】
【技術分野】
【０００１】
本発明は、消臭剤や芳香剤、害虫防除剤等の揮散性物質を生活空間に放散する放散方法及び揮散性物質を放散する揮散性物質放散用容器に関する。
【背景技術】
【０００２】
従来、家庭内に備えられていた扇風機等の送風機器を利用して、消臭剤や芳香剤、害虫防除剤等の揮散性物質を生活空間に放散し、不快な臭いを消したり、あるいは良い香りを漂わせたり、あるいは不快害虫を除去したりして、快適な生活空間を得るようにしたものが知られていた。
【０００３】
これは、例えば、実開昭６２−１８８５９２号公報、実開平１−１４８１００号公報、実開平３−４９３９６号公報に示されているように、扇風機の前面ガードの中央に芳香剤を収納した芳香剤用容器を取り付け、この芳香剤用容器から揮散した芳香剤を扇風機により発生する送風気流にのせて生活空間に放散し、良い香りを漂わせて、快適な生活空間を得るようにしていた。
【０００４】
【特許文献１】実開昭６２−１８８５９２号公報
【特許文献２】実開平１−１４８１００号公報
【特許文献３】実開平３−４９３９６号公報
【０００５】
また、実開平４−５７６９８号公報、登録実用新案第３０１６５６６号公報に示されているように、扇風機の前面ガードの上側等に芳香剤又は消臭剤を収納した収納容器を取り付け、この収納容器から揮散した芳香剤又は消臭剤を扇風機により発生する送風気流にのせて生活空間に放散し、良い香りを漂わせたり、あるいは不快な臭いを消したりして、快適な生活空間を得るようにしていた。
【０００６】
【特許文献４】実開平４−５７６９８号公報
【特許文献５】登録実用新案第３０１６５６６号公報
【０００７】
一方、実開昭５０−１１４４５３号公報に示されているように、扇風機の前面ガードの中央に蚊取線香や虫を駆除する薬剤、香料等を収納した薬剤用容器を取り付け、この薬剤用容器から揮散した蚊取線香や虫を駆除する薬剤、香料等を扇風機により発生する送風気流にのせて生活空間に放散し、不快害虫を除去したり、あるいは良い香りを漂わせて、快適な生活空間を得るようにしていた。
【０００８】
【特許文献６】実開昭５０−１１４４５３号公報
【発明の開示】
【発明が解決しようとする課題】
【０００９】
送風機器を代表する扇風機としては、生活空間において、風を起こして、すなわち送風気流を発生させて人やその周辺に空気を流し、そこにいる人に涼風感をもたらすものである。
【００１０】
しかしながら、前述した扇風機を利用して、消臭剤や芳香剤、害虫防除剤等の揮散性物質を生活空間に放散し、快適な生活空間を得るようにした場合、扇風機によって発生する送風気流は人に直接当たるため、収納容器等に入れた消臭剤や芳香剤、害虫防除剤等の揮散性物質もこの送風気流に混じって流れて、人に直接当たるようになる。つまり、揮散性物質を人が直接浴びるようになり、揮散性物質の吸入や身体への付着といった人体への悪影響が懸念される。揮散性物質の中には人体に対して影響の少ないものもあるが、多少なりとも影響を及ぼすものである。特に、害虫防除剤等にあっては、基本的に吸入や身体への付着といったことは健康上の問題から好ましくないとされており、安全性に問題が生じる場合がある。
【００１１】
本発明は、これらの問題を鑑み、扇風機を代表とする送風機器を利用して、消臭剤や芳香剤、害虫防除剤等の揮散性物質を生活空間に放散し、快適な生活空間を得るようにする際に、人が揮散性物質を直接浴びることがないようにして、人体への悪影響といった懸念をなくすことのできる揮散性物質放散用容器を用いた揮散性物質の放散方法及び揮散性物質放散用容器を提供することを、その課題とする。
【課題を解決するための手段】
【００１２】
第一の発明は、内部に揮散性物質を入れた揮散性物質放散用容器に空気を流入する流入口と空気を放出する放出口とをそれぞれ備え、この揮散性物質放散用容器を送風機器の吹き出し側に当該揮散性物質放散用容器の流入口を送風機器の吹き出し側に向けて取り付けると共に、揮散性物質放散用容器の放出口を送風機器により発生する送風気流の領域外に向けるようにして、揮散性物質放散用容器内の揮散性物質を送風機器より発生する送風気流の領域外に放散するようにした揮散性物質放散用容器を用いた揮散性物質の放散方法である。
【００１３】
第二の発明は、内部に揮散性物質を入れた揮散性物質放散用容器において、送風機器に当該揮散性物質放散用容器を着脱自在に取り付けるための係止部を備えると共に、当該揮散性物質放散用容器を送風機器に取り付けたとき、送風機器の吹き出し側に相対する位置に空気を流入する流入口を備え、かつ送風機器により発生する送風気流の領域外に向く位置に空気を放出する放出口を備え、この流入口から放出口につながる流通路に揮散性物質を配置することにより、揮散性物質を放出口から送風機器より発生する送風気流の領域外に放散するようにした揮散性物質放散用容器である。
【００１４】
第三の発明は、第二の発明において、揮散性物質を揮散性物質保持体に保持させて、この揮散性物質保持体を当該揮散性物質放散用容器の内部に出し入れ自在に収納した揮散性物質放散用容器である。
【００１５】
第四の発明は、第二又は第三の発明において、揮散性物質を害虫防除剤とした揮散性物質放散用容器である。
【発明の効果】
【００１６】
揮散性物質放散用容器の内部に入れた揮散性物質を放出口から送風機器より発生する送風気流の領域外に放散するようにしたことで、送風機器より発生する送風気流を直接受けて涼風感を得ようとする人に揮散性物質放散用容器より放散した揮散性物質が直接当たることがなく、揮散性物質の吸入や身体への付着といった人体への悪影響といった懸念をなくすことができると共に、同時に、揮散性物質を送風機器より発生する送風気流の領域外に放散することにより、揮散性物質を生活空間内に良好に放散することができ、不快な臭いを消したり、あるいは良い香りを漂わせたり、あるいは不快害虫を除去したりして、快適な生活空間を得ることができる。
【００１７】
また、揮散性物質を揮散性物質保持体に保持させて、この揮散性物質保持体を当該揮散性物質放散用容器の内部に出し入れ自在に収納したことで、当該揮散性物質放散用容器にあっては、単なる使い捨てではなく、揮散性物質保持体に保持させた揮散性物質がなくなったら、揮散性物質保持体を新しいものに交換することにより、何回でも使用することができ、長期間、例えば数年間にわたって使用することができ、経済性の良い商品にすることができる。
【００１８】
一方、揮散性物質放散用容器の内部に入れる揮散性物質を害虫防除剤とした場合、害虫防除剤は吸入や身体への付着等によって人体への悪影響が懸念される成分を非常に多く含む物質であるが、本発明の揮散性物質放散用容器にあっては、害虫防除剤が人に直接当たることが全くなく、害虫防除剤を吸入したりあるいは身体への付着したりするといった問題をなくして、安全に不快害虫を除去して、快適な生活空間を得ることができ、特に、乳児や幼児あるいはお年寄り等が居る生活空間において、安全性を大幅に高めることができるので、極めて効果的なものにすることができる。
【発明を実施するための最良の形態】
【００１９】
本発明による揮散性物質放散用容器を用いた揮散性物質の放散方法の実施形態について説明する。
【００２０】
内部に揮散性物質を入れる揮散性物質放散用容器については、後述する揮散性物質放散用容器の各実施形態おいて詳細に説明するので、今回は概略的なものにする。この揮散性物質放散用容器１は、図１、図２に示すように、例えば前後の厚みが薄い中空状の直方体となり、その内部に揮散性物質２を入れる。この揮散性物質２としては消臭剤や芳香剤、害虫防除剤等である。
【００２１】
この揮散性物質放散用容器１内部への揮散性物質２の入れ方は、例えば、大きな開口部を有する外枠体と、この外枠体の内部に収める通気性を有する含浸材とからなる揮散性物質保持体３において、含浸材に消臭剤や芳香剤、害虫防除剤等の揮散性物質２を含浸させて保持させる方法が考えられる。
【００２２】
なお、この揮散性物質保持体３への揮散性物質２の保持の方法は、上記のような揮散性物質保持体３における含浸体に揮散性物質２を含浸させる方法のみに限定されるものではなく、含浸体の代わりにゲル状にした揮散性物質２を容器状の外枠体に入れて保持する等、他の方法でも良い。さらに、前述のものでは揮散性物質保持体３を用いているが、この揮散性物質保持体３を用いることなく、固体状の揮散性物質２の場合は粒状、球状や板状等の成形物として、また、揮散性物質２を昇華剤や造粒剤等で固形状にして揮散性物質放散用容器１の内部に直接入れるようにしても良い。
【００２３】
そして、この揮散性物質放散用容器１には、後面全体（図１参照）あるいは後面の上側を除いた大部分（図２参照）を開口して空気を流入する流入口４を備えると共に、上面全体を開口して空気を放出する放出口５を備える。なお、流入口４を備える後面や放出口５を備える上面以外の前面や左右の側面さらに下面は塞がっていることにより、揮散性物質放散用容器１にあっては、後面の流入口４から上面の放出口５につながる空間である流通路６が形成され、この流通路６内に揮散性物質２を保持した揮散性物質保持体３を配置するようにしている。
【００２４】
次に、このように構成された揮散性物質放散用容器１を送風機器、例えば扇風機１０に取り付ける。これは、図３、図４に示すように、扇風機１０における羽根１１の前方に放射状に配置した複数のワイヤ１２ａによって形成される前面ガード１２の上側に揮散性物質放散用容器１に備えた係止部を介して当該揮散性物質放散用容器１の後面を扇風機１０の前面ガード１２側に向けて、すなわち扇風機１０の吹き出し側に当該揮散性物質放散用容器１の流入口４を扇風機１０の吹き出し側に向けて取り付ける。
【００２５】
そして、扇風機１０を作動し、羽根１１を回転させて風を起こすと、扇風機１０の前方に向かって吹き出す送風気流Ｓが発生する。このとき、扇風機１０の前面ガード１２の上側に取り付けた揮散性物質放散用容器１にあっては、扇風機１０からの風が流入口４より流入し、揮散性物質保持体３における揮散性物質２を含浸させた含浸材に当り、この含浸材内を通過する。風が揮散性物質保持体３における含浸材内を通過した際、この含浸材に含浸させた揮散性物質２を揮散させて、扇風機１０からの風と共に揮散性物質放散用容器１における流通路６に沿って上方に向かい、上方の放出口５より外部へと風と共に揮散性物質２が放出する。そして、放出口５より放出された風や揮散性物質２は、図１や図２に示すように、扇風機１０より発生する送風気流Ｓの領域外、具体的には上方に向かうようになり、すなわち揮散性物質放散用容器１内の揮散性物質２が扇風機１０より発生する送風気流Ｓの領域外に放散するようにしている。
【００２６】
この扇風機１０より発生する送風気流Ｓにあって、その領域としては、図１や図２において図中に示した点線の下側の部分（斜線を付した箇所）であり、図４において図中に示した上下の点線の間の部分（斜線を付した箇所）である。すなわち図１や図２、図４において図中に示す点線は扇風機１０より発生する送風気流Ｓの境界線を示すものである。これにより、扇風機１０より発生する送風気流Ｓの領域外としては、図１や図２において図中に示した境界線である点線の上側の部分である。
【００２７】
このように揮散性物質放散用容器１内の揮散性物質２を扇風機１０より発生する送風気流Ｓの領域外に放散するようにしたことで、扇風機１０より発生する送風気流Ｓを直接受けて涼風感を得ようとする人に揮散性物質放散用容器１より放散した揮散性物質２が直接当たることがなく、揮散性物質２の吸入や身体への付着といった人体への悪影響といった懸念をなくすことができる。しかも、同時に、揮散性物質２を扇風機１０より発生する送風気流Ｓの領域外に放散することで、揮散性物質２を生活空間内に良好に放散することができ、不快な臭いを消したり、あるいは良い香りを漂わせたり、あるいは不快害虫を除去したりして、快適な生活空間を得ることもできる。
【００２８】
なお、害虫防除剤ではなく消臭剤や芳香剤等の中には天然成分等によって作り出されたものもあり、これらは人体に対して悪影響がない、つまり無害な場合もある。このような場合には、図５、図６に示すように、揮散性物質放散用容器１の上面に備えた放出口５に比べて大幅に小さな開口となる第二放出口７を当該揮散性物質放散用容器１の前面や下面に形成するようにして、扇風機１０より発生する送風気流Ｓに混ぜて飛ばすようにしても良い。
【００２９】
また、前述した実施形態あるいは後述する揮散性物質放散用容器１の各実施形態にあっては、送風機器として扇風機１０を用いた例で説明しているが、これに限定されるものではなく、冷風機でも良く、さらにはルームエアコンやカーエアコン等でも良い。
【００３０】
一方、本発明による揮散性物質放散用容器の第一実施形態について説明する。
【００３１】
揮散性物質放散用容器１としては、図７、図８、図９、図１０に示すように、前後の厚みが薄い中空状の立体となり、縦長となる前面壁２１と、前後幅が狭く縦長となる左右の側面壁２２と、左右細長の下面壁２３と、後面壁２４とから形成する。ただし、後面壁２４は下面壁２３より下方に舌状に突き出た構造である。なお、前面壁２１と左右の側面壁２２とにあっては上方に向かって外側に湾曲させることで、当該揮散性物質放散用容器１の上側をラッパ状に形成している。
【００３２】
このように構成することで、後面全体を大きく開口して空気を流入する流入口４を備えると共に、上面全体を大きく開口して空気を放出する放出口５を備えて、この後面の流入口４から上面の放出口５につながる空間である流通路６を形成する。そして、この流通路６である揮散性物質放散用容器１の内部に上側より揮散性物質保持体３を出し入れ自在に収納する。
【００３３】
この揮散性物質保持体３は、前面と後面とに大きな開口部をそれぞれ有するようになる四角形状の外枠体２５と、この外枠体２５の内部に収める通気性を有する四角形状の含浸材２６とから構成し、外枠体２５は二つに分離可能にして、一方を他方に嵌め込むような構造にしている。また、この外枠体２５には横長の長孔２７を全体に多数形成することで、大きな開口部を有するようにしている。
【００３４】
そして、この揮散性物質保持体３における含浸材２６には消臭剤や芳香剤、害虫防除剤等の揮散性物質２を含浸させて保持させる。
【００３５】
また、この揮散性物質保持体３における含浸材２６において、その材料としては、紙類（パルプ、リンター、合成紙等）、木製類（おがくず等）、セラミック、繊維類（化学繊維、ガラス繊維、炭素繊維等）、天然繊維（木綿、羊毛、絹、麻等）、樹脂類（ポリエチレン、ポリエステル、ポリプロピレン、レーヨン、ビスコース、高吸油性ポリマー等）、各繊維からの不織布、天然植物等の乾燥物等が挙げられる。そして、その形態としては、マット状、シート状、網状、ハニカム状、スノコ状、格子状、綿状、粒状等が挙げられる。また、その形状としては、前述の四角形状に限定されるものではなく、円形状や多角形状等でも良い。
【００３６】
そして、この揮散性物質保持体３の揮散性物質放散用容器１の内部への収納は、左右の側面壁２２の両内側に設けた縦に向かう一対の挟持板２８に揮散性物質保持体３の左右端部それぞれを挟み込むようにして収納する。これにより、揮散性物質保持体３を上側に取り出し可能とし、揮散性物質保持体３を揮散性物質放散用容器１より出し入れ自在に収納している。
【００３７】
なお、揮散性物質放散用容器１の内部に揮散性物質保持体３を収納した際、揮散性物質保持体３の前方に空間を形成するようにし、すなわち揮散性物質放散用容器１の前面壁２１と揮散性物質保持体３との間に空隙を形成する。さらに、揮散性物質保持体３の下方にも空間を形成するようにし、すなわち揮散性物質放散用容器１の下面壁２３と揮散性物質保持体３との間にも空隙を形成する。
【００３８】
また、下面壁２３より下方に舌状に突き出た後面壁２４にあっては、後方に扇風機１０に当該揮散性物質放散用容器１を着脱自在に取り付けるための係止部３１を備える。この係止部３１は係止板３２を有して、図８や図９や図１０に示すように、扇風機１０の前面ガード１２における２本のワイヤ１２ａを後面壁２４と係止部３１の係止板３２とで挟み込むようにすることで、当該揮散性物質放散用容器１を扇風機１０に着脱自在に取り付けることができるようにしている。
【００３９】
このような構成によって、当該揮散性物質放散用容器１を扇風機１０の前面ガード１２の上側に取り付けたとき、空気を流入する流入口４が扇風機１０の吹き出し側に相対するようになると共に、空気を放出する放出口５が扇風機１０により発生する送風気流Ｓの領域外に向くようになる。
【００４０】
この揮散性物質放散用容器１の使用状態としては、扇風機１０の前面ガード１２の上側に当該揮散性物質放散用容器１の後面を扇風機１０の前面ガード１２側に向けて取り付け、そして、扇風機１０を作動して、扇風機１０の前方に向かって吹き出す送風気流Ｓを発生させると、扇風機１０の前面ガード１２の上側に取り付けた揮散性物質放散用容器１において、扇風機１０からの風が流入口４より流入し、揮散性物質保持体３における含浸材２６内を通過して、含浸材２６に含浸させた揮散性物質２を揮散させる。そして、風と共に揮散した揮散性物質２が揮散性物質保持体３の前方に形成した空間を経て流通路６に沿って上方に向かい、上方の放出口５より外部へと放出する。また、このとき、流入口４より流入した風の一部が揮散性物質保持体３における含浸材２６に当たることなく、揮散性物質保持体３の下方に形成した空間を流れることで、勢いの良い風が流通路６に沿って上方に向かうようになり、この風により上方の放出口５から揮散性物質２を良好に放散させることができる。
【００４１】
これにより、揮散性物質放散用容器１の放出口５より風や揮散性物質２が外部上方に放出するが、このとき、放出した風や揮散性物質２は、扇風機１０より発生する送風気流Ｓの領域外である上方に向かうようになり、すなわち揮散性物質２を放出口５から扇風機１０より発生する送風気流Ｓの領域外に放散するようになる。
【００４２】
この揮散性物質放散用容器１にあっては、内部に入れた揮散性物質２を放出口５から扇風機１０より発生する送風気流Ｓの領域外に放散するようにしたことで、扇風機１０より発生する送風気流Ｓを直接受けて涼風感を得ようとする人に揮散性物質放散用容器１より放散した揮散性物質２が直接当たることがなく、揮散性物質２の吸入や身体への付着といった人体への悪影響といった懸念をなくすことができる。しかも、同時に、揮散性物質２を扇風機１０より発生する送風気流Ｓの領域外に放散することで、揮散性物質２を生活空間内に良好に放散することができ、不快な臭いを消したり、あるいは良い香りを漂わせたり、あるいは不快害虫を除去したりして、快適な生活空間を得ることもできる。
【００４３】
また、揮散性物質２を含浸材２６に含浸させて保持させた揮散性物質保持体３を揮散性物質放散用容器１より出し入れ自在に収納したことで、当該揮散性物質放散用容器１にあっては、単なる使い捨てではなく、揮散性物質保持体３の揮散性物質２がなくなったら、揮散性物質保持体３を新しいものに交換することにより、何回でも使用することができ、長期間、例えば数年間にわたって使用することができる。
【００４４】
なお、前述した本発明による第一実施形態の揮散性物質放散用容器において、揮散性物質保持体３における含浸材２６に含浸させる揮散性物質２を害虫防除剤とした場合、害虫防除剤は吸入や身体への付着等によって人体への悪影響が懸念される成分を非常に多く含む物質であるが、本発明による第一実施形態の揮散性物質放散用容器では、害虫防除剤が直接当たることが全くなく、害虫防除剤を吸入したりあるいは身体への付着したりするといった問題をなくして、安全に不快害虫を除去して、快適な生活空間を得ることができるものである。特に、乳児や幼児あるいはお年寄り等が居る生活空間において、安全性を大幅に高めることができるので、極めて効果的である。
【００４５】
なお、この害虫防除剤としては、殺ダニ剤、害虫あるいは害獣忌避剤、殺虫剤または害虫の成長制御剤、吸血行動阻止剤等であり、殺虫を主たる目的として使用する場合は、従来より用いられている各種の揮散性殺虫剤、例えば、ピレスロイド系殺虫剤、カーバメート系殺虫剤、有機リン系殺虫剤等が挙げられる。ただし、一般に安全性が高いことからピレスロイド系殺虫剤が好適である。さらに、その中でも、微量で効力を発揮する高活性のメトフルトリン、トランスフルトリン、エムペントリン、テラレスリン、プロフルトリンが揮散性物質保持体３の含浸材２６を薄く、また小さくできることからより好ましい。なお、前述のピレスロイド系殺虫剤は、低濃度では忌避や吸血阻害の効能を発現するので安全面で好適に使用することができる。また、安全性の高い植物精油（ペニーロイヤル油、レモングラス油、ヒバ油、ペパーミント油等）やその有効成分（プレゴン、シトラール、シトロネラール、ヒノキチオール、シネオール等）も忌避や吸血阻害の効能を発現するので好適に使用することができる。
【００４６】
また、上記したいろいろな害虫防除剤に害虫防除剤を徐放化する揮散調整剤（ワセリン類、グリコール類など）、酸化防止剤（ＢＨＴ，ＢＨＡなど）、共力剤（ピペロニルブトキサイド、サイネピリン２２２など）、溶解剤（パラフィン類、多価アルコール類、脂肪酸エステル類など）等を必要に応じて添加することも可能である。
【００４７】
なお、前述した第一実施形態における揮散性物質放散用容器１にあっては、扇風機１０に取り付けて使用した例で説明しているが、扇風機１０以外の送風機器、具体的には、冷風機、ルームエアコンやカーエアコン等に取り付けて使用しても良い。
【００４８】
例えば、ルームエアコンに取り付けて使用する場合、図１１に示すように、揮散性物質放散用容器１の後面壁２４に備える係止部３１を、ルームエアコン５０における吹き出し口のルーバー５１を挟持できるようなクリップ状に形成して、図１２に示すように、ルームエアコン５０における吹き出し口に揮散性物質放散用容器１を上下逆さまにして取り付けて使用する。なお、係止部３１については、クリップ状のものに限定されるものではなく、吹き出し口の二枚のルーバー５１間に圧入して固定するタイプ、又は粘着ワッペン等による貼り付けるタイプ等でも良い。
【００４９】
次に、本発明による揮散性物質放散用容器の第二実施形態について説明する。
【００５０】
揮散性物質放散用容器としては、図１３、図１４、図１５に示すように、前後の厚みが薄い中空状の立体となり、縦長となる前面壁２１と、前後幅が狭く縦長となる左右の側面壁２２と、左右細長で湾曲状の下面壁２３と、縦長となる後面壁２４とから形成する。なお、下面壁２３を湾曲状にすることにより、この下面壁２３と左右の側面壁２２とは面が連続する構造である。
【００５１】
そして、後面壁２４には大きく開口して空気を流入する円形状の流入口４を備える。また、上面全体を大きく開口することで、空気を放出する放出口５を備える。これにより、後面壁２４に備えた流入口４から上面の放出口５につながる空間である流通路６を形成する。そして、この流通路６である揮散性物質放散用容器１の内部に後側より揮散性物質保持体３を出し入れ自在に収納する。
【００５２】
この揮散性物質保持体３は、図１６、図１７に示すように、前面と後面とに放射状に伸びた６本のバー３３を設けて大きな開口部をそれぞれ有するようになる円形状の外枠体２５と、この外枠体２５の内部に収める通気性を有する円形状の含浸材２６とから構成し、外枠体２５は二つに分離可能にして、一方を他方に嵌め込むような構造にしている。
【００５３】
なお、この揮散性物質保持体３における含浸材２６にあっては、前述した第一実施形態のものと略同様である。
【００５４】
そして、この揮散性物質保持体３の揮散性物質放散用容器１の内部への収納は、揮散性物質保持体３の外周４ヶ所にツメ片３４を設けると共に、この揮散性物質保持体３のツメ片３４が嵌め込まれる切り欠き状の嵌合部３５を後面壁２４の流入口４に設ける。この嵌め込みは揮散性物質保持体３のツメ片３４を後面壁２４の流入口４の嵌合部３５に後側より入れて若干回転させることで、ここに嵌め込んで固定するようになるものである。これにより、揮散性物質保持体３を後側に取り出し可能とし、揮散性物質保持体３を揮散性物質放散用容器１より出し入れ自在に収納している。
【００５５】
また、後面壁２４にあっては、上部に左右一対のツメ状の係止部３１を備え、この左右の係止部３１に扇風機１０の前面ガード１２における２本のワイヤ１２ａを引っ掛けることで、当該揮散性物質放散用容器１を扇風機１０に着脱自在に取り付けることができるようにしている。
【００５６】
なお、この左右の係止部３１にあっては、図示はしないが、左右方向にそれぞれ移動可能な構造にすることにより、扇風機１０の前面ガード１２のワイヤ１２ａの間隔に合わせて左右にそれぞれ移動して調節することができ、当該揮散性物質放散用容器１を扇風機１０の前面ガード１２の最適な位置に取り付けることもできる。
【００５７】
次に、本発明による揮散性物質放散用容器の第三実施形態について説明すると、揮散性物質放散用容器１は、前述した第二実施形態と基本的には同様であるが、図１８、図１９に示すように、左右の側面壁２２を上方に向かって外側に湾曲させ、当該揮散性物質放散用容器１の上側が左右に広がるように形成すると共に、上面の左右中央に上面壁３６を備えて、上面の放出口５を左右二方向に向くように分離した構造、つまり二つの放出口５を備える。さらに、後面壁２４に備える左右一対のツメ状の係止部３１は、後面壁２４の上部の左右両端側にそれぞれ備える。
【００５８】
このように上面に二つの放出口５を備えることで、揮散性物質放散用容器１の放出口５から揮散性物質２を扇風機１０より発生する送風気流Ｓの領域外に放散する際、揮散性物質２を生活空間に広範囲にわたって放散することができる。
【００５９】
なお、この第三実施形態にあっては、上面の放出口５を左右二方向に、つまり上面に二つの放出口５を備えた形状にすることで、例えば、前側となる前面壁２１において、上方の左右二方向に分離した部位をウサギ、クマ、犬や猫等の動物の耳に見立てて、前面壁２１に動物のキャラクターをデザインすることで、幼児や子供たちに喜ばれるものにすることもできる。
【００６０】
次に、本発明による揮散性物質放散用容器の第四実施形態について説明すると、揮散性物質放散用容器１は、前述した第二実施形態や第三実施形態と基本的には同様であるが、図２０、図２１、図２２に示すように、前面壁２１の下部に上面の放出口５に比べて大幅に小さな開口となる微孔状の第二放出口７を複数備える。さらに、扇風機１０に当該揮散性物質放散用容器１を着脱自在に取り付けるための係止部３１を左右の側面壁２２にそれぞれ備えて、この係止部３１は弾性自在なり、かつ扇風機１０の前面ガード１２のワイヤ１２ａに引っ掛かるフック状となっている。
【００６１】
このような構成によって、例えば、揮散性物質保持体３における含浸材２６に害虫防除剤ではなく天然成分等によって作り出されて人体に対して悪影響がない、つまり無害な芳香剤等を含浸させて保持させた場合、揮散性物質保持体３より揮散した芳香剤等の大部分は上面の放出口５から扇風機１０より発生する送風気流Ｓの領域外に放散するようになるが、ほんの一部は前面壁２１に備えた第二放出口７から放散し、扇風機１０より発生する送風気流Ｓに混ざって飛ぶようになる。このように人体に対して悪影響がない芳香剤等にあっては、非常に少量ではあるが、扇風機１０より発生する送風気流Ｓに混ぜて飛ばすようにすることで、扇風機１０より発生する送風気流Ｓを直接受けて涼風感を得ようとする人が芳香剤等を直接受けて香りをかすかに楽しむことができる。
【００６２】
次に、本発明による揮散性物質放散用容器の第五実施形態について説明すると、基本的には前述した第四実施形態と共通しているが、構成が多少異なる。
【００６３】
揮散性物質放散用容器としては、図２３、図２４、図２５に示すように、前後の厚みが薄い中空状の立体となり、縦長の長方形となる前面壁２１と、前後幅が狭く縦長となる左右の側面壁２２と、左右細長の下面壁２３と、縦長の長方形となる後面壁２４とから形成する。
【００６４】
そして、後面壁２４には大きく開口して空気を流入する四角形蜘蛛の巣状の流入口４を備える。また、上面全体を大きく開口することで、空気を放出する放出口５を備える。これにより、後面壁２４に備えた流入口４から上面の放出口５につながる空間である流通路６を形成る。そして、この流通路６である揮散性物質放散用容器１の内部に上側より揮散性物質保持体３を出し入れ自在に収納する。
【００６５】
この揮散性物質保持体３は、前面と後面とに大きな開口部をそれぞれ有するようになる長方形状の外枠体２５と、この外枠体２５の内部に収める通気性を有する長方形状の含浸材２６とから構成し、外枠体２５は二つに分離可能にして、一方を他方に嵌め込むような構造にしている。また、この外枠体２５には横長の長孔２７を略全体に多数形成することで、大きな開口部を有するようにしている。
【００６６】
そして、この揮散性物質保持体３の揮散性物質放散用容器１の内部への収納は、左右の側面壁２２の両内側それぞれに設けた縦に向かう一つのガイド板３７と後面壁２４の内側とで揮散性物質保持体３の左右端部それぞれを挟み込むようにして収納する。これにより、揮散性物質保持体３を上側に取り出し可能とし、揮散性物質保持体３を揮散性物質放散用容器１より出し入れ自在に収納している。
【００６７】
さらに、前面壁２１の下部に上面の放出口５に比べて大幅に小さな開口となる横長スリット状の第二放出口７を複数（例えば、４ヶ所）備える。
【００６８】
このような構成によって、第四実施形態と同様、揮散性物質保持体３における含浸材２６に人体に対して悪影響がない、つまり無害な芳香剤等を含浸させて保持させた場合、揮散性物質保持体３より揮散した芳香剤等のほんの一部を前面壁２１に備えた第二放出口７から放散し、扇風機１０より発生する送風気流Ｓに混ざって飛ぶようにすることができ、非常に少量ではあるが、芳香剤等を扇風機１０より発生する送風気流Ｓに混ぜて飛ばすことで、扇風機１０より発生する送風気流Ｓを直接受けて涼風感を得ようとする人が芳香剤等を直接受けて香りをかすかに楽しむことができる。
【００６９】
なお、前述の第五実施形態における揮散性物質放散用容器１にあっては、扇風機１０に当該揮散性物質放散用容器１を着脱自在に取り付けるための係止部３１を備えるようになるが、この係止部３１については、前述したものと全く異なり、図２６に示すように、伸縮自在となるゴムバンドの両端それぞれにフック３８を備えたものである。また、揮散性物質放散用容器１の左右の側面壁２２それぞれにはその後端に縦長の掛合孔３９を縦方向にわたって複数形成する。これにより、図２７に示すように、揮散性物質放散用容器１の左右それぞれにおいて、係止部３１の一端のフック３８を左右の側面壁２２それぞれに形成した掛合孔３９に引っ掛けると共に、係止部３１の他端のフック３８を扇風機１０の前面ガード１２の外周枠１２ｂに引っ掛けるようにして、揮散性物質放散用容器１を扇風機１０に着脱自在に取り付けるようにしている。なお、係止部３１のフック３８を前面ガード１２の外周枠１２ｂに取り付ける位置としては、外周枠１２ｂにワイヤ１２ａが接合する部分の上側にすることにより、係止部３１のフック３８が下がることなく確実に外周枠１２ｂに引っ掛けることができる。
【００７０】
このように揮散性物質放散用容器１の左右の側面壁２２それぞれに掛合孔３９を複数形成することで、当該揮散性物質放散用容器１を扇風機１０に取り付ける際、扇風機１０の前面ガード１２のタイプ（形式）に合わせて、係止部３１のフック３８の引っ掛け位置を適宜選択して調節することにより、タイプの異なる各種の扇風機１０に常に最適に取り付けることができる。
【００７１】
次に、本発明による揮散性物質放散用容器の第六実施形態について説明すると、基本的には前述した第四実施形態や第五実施形態と共通しているが、構成が多少異なる。
【００７２】
揮散性物質放散用容器１としては、図２８、図２９、図３０、図３１、図３２に示すように、前後の厚みが薄い中空状の立体となり、縦長の長方形となる前面壁２１と、前後幅が狭く縦長で段部４１を形成した左右の側面壁２２と、左右細長の下面壁２３と、縦長の長方形となる後面壁２４とから形成する。
【００７３】
そして、後面壁２４には大きく開口して空気を流入する長方形状の流入口４を備える。また、上面全体を大きく開口することで、空気を放出する放出口５を備える。これにより、後面壁２４に備えた流入口４から上面の放出口５につながる空間である流通路６を形成る。そして、この流通路６である揮散性物質放散用容器１の内部に上側より揮散性物質保持体３を出し入れ自在に収納する。
【００７４】
この揮散性物質保持体３は、前述した第五実施形態と同様、前面と後面とに大きな開口部をそれぞれ有するようになる長方形状の外枠体２５と、この外枠体２５の内部に収める通気性を有する長方形状の含浸材２６とから構成している。また、この外枠体２５には横長の長孔２７を略全体に多数形成することで、大きな開口部を有するようにしている。
【００７５】
そして、この揮散性物質放散用容器１にあっては、左右の側面壁２２に段部４１を形成することで、後部の左右幅を前部の左右幅より大きくし、この後部の大きな左右幅の部分に揮散性物質保持体３を上側より収納し、左右の側面壁２２に段部４１と後面壁２４の内側とで揮散性物質保持体３の左右端部それぞれを挟み込むようにし、ここに固定するようになるものである。
【００７６】
さらに、下面壁２３に上面の放出口５に比べて大幅に小さな開口となる横長スリット状の第二放出口７を複数（例えば、６ヶ所）備える。
【００７７】
このような構成によって、第四実施形態や第五実施形態と略同様、揮散性物質保持体３における含浸材２６に人体に対して悪影響がない、つまり無害な芳香剤等を含浸させて保持させた場合、揮散性物質保持体３より揮散した芳香剤等のほんの一部を下面に備えた第二放出口７から放散し、扇風機１０より発生する送風気流Ｓに混ざって飛ぶようにすることができ、非常に少量ではあるが、芳香剤等を扇風機１０より発生する送風気流Ｓに混ぜて飛ばすことで、扇風機１０より発生する送風気流Ｓを直接受けて涼風感を得ようとする人が芳香剤等を直接受けて香りをかすかに楽しむことができる。
【００７８】
なお、この揮散性物質放散用容器１にあっては、図３３、図３４に示すように、後面壁２４において、上端より下端まで左右の一部を残して全部なくして、大きな開口となる流入口４を備えるようにしても良い。
【００７９】
次に、本発明による揮散性物質放散用容器の第七実施形態について説明する。この第七実施形態は、前述した各実施形態と少し異なる。
【００８０】
揮散性物質放散用容器としては、図３５、図３６、図３７、図３８に示すように、前後の厚みが薄く縦長の中空状の立体となり、縦長となる前面壁２１と、前後幅が狭く縦長となる左右の側面壁２２と、後面壁２４とから形成する。なお、後面壁２４については上端より下端まで左右の一部を残して中央を全部なくして大きく開口する構造である。なお、この揮散性物質放散用容器において、その縦寸法は当該揮散性物質放散用容器を取り付ける扇風機の前面ガードの直径と略同じ長さにする。
【００８１】
このように構成することで、後面にその略全体を大きく開口して空気を流入する流入口４を備えると共に、上面全体及び下面全体を大きく開口して空気を放出する放出口５を上面と下面それぞれに備え、この後面の流入口４から上面の放出口５及び下面の放出口５につながる空間である流通路６を形成する。そして、この流通路６である揮散性物質放散用容器１の内部に揮散性物質保持体３を収納する。
【００８２】
この揮散性物質保持体３の揮散性物質放散用容器１の内部への収納は、左右の側面壁２２の両内側それぞれに設けた縦に向かう一つのガイド板３７と後面壁２４の内側とで揮散性物質保持体３の左右端部それぞれを挟み込むようにして収納する。これにより、揮散性物質保持体３を上側あるいは下側に取り出し可能とし、揮散性物質保持体３を揮散性物質放散用容器１より出し入れ自在に収納する。
【００８３】
また、後面壁２４にあっては、上下中央のやや上部に左右一対のツメ状の係止部３１を備え、この左右の係止部３１に扇風機１０の前面ガード１２における２本のワイヤ１２ａを引っ掛けることで、当該揮散性物質放散用容器１を扇風機１０に着脱自在に取り付けることができるようにしている。
【００８４】
この揮散性物質放散用容器１の使用例としては、図３９に示すように、扇風機１０の前面ガード１２の左右略中央に当該揮散性物質放散用容器１を扇風機１０の前面ガード１２における縦方向全長にわたって取り付ける。これにより、扇風機１０からの風が流入口４より流入し、揮散性物質保持体３における含浸材２６内を通過して、含浸材２６に含浸させた揮散性物質２を揮散し、風と共に揮散した揮散性物質２が流通路６に沿って上方と下方とに分かれて流れ、上方の放出口５と下方の放出口５とより外部に放出する。
【００８５】
これにより、揮散性物質放散用容器１の上方と下方の二つの放出口５より風や揮散性物質２が上方と下方とにそれぞれ放出するが、このとき、放出した風や揮散性物質２は、扇風機１０より発生する送風気流Ｓの領域外である上方と下方とに向かうようになり、すなわち揮散性物質２を放出口５から扇風機１０より発生する送風気流Ｓの領域外に放散するようになる。
【００８６】
このように、本発明による揮散性物質放散用容器にあっては、揮散性物質放散用容器１より揮散性物質２を放出する方向を上方のみに限定するものではなく、上方と下方の両方に揮散性物質２を放出するようにしても良い。さらに、この第七実施形態における揮散性物質放散用容器については、扇風機１０の前面ガード１２の左右略中央に縦向き取り付けているが、これを左右の横向きに取り付けても良く、この場合、揮散性物質放散用容器１より放出する揮散性物質２は扇風機１０の左右両側で、扇風機１０より発生する送風気流Ｓの領域外に放散するようになる。
【００８７】
以上のように、本発明による揮散性物質放散用容器にあっては、前述したように、いろいろな形態のものがあるが、これらに限定されるものではなく、同様の機能を有するものなら他のものでも良い。
【００８８】
例えば、揮散性物質放散用容器１における揮散性物質保持体３の収納にあっても、後面壁２４に備えた流入口４近傍に収納するようにしていたが、図４０に示すように、揮散性物質放散用容器１における前面壁２１の下部を前方に膨らませて、流入口４より少し離れたこの膨らませた部分に揮散性物質保持体３の収納させるようにしても良い。この場合、揮散性物質保持体３を用いても良いが、固形状にした揮散性物質２を直接入れるようにしても良い。そして、流入口４より流入した扇風機１０からの風が固形状にした揮散性物質２（又は揮散性物質保持体３）の内部を通過するのではなく、表面（後側）を流れることで、固形状にした揮散性物質２（又は揮散性物質保持体３）より揮散した揮散性物質２を流通路６に沿って流して、上方の放出口５より外部へと放出するようにする。
【００８９】
また、図４１に示すように、揮散性物質放散用容器１の後面壁２４下部に備えた流入口４から上方の放出口５に向かう流入口４より少し離れた流通路６の上部に固形状にした揮散性物質２（又は揮散性物質保持体３）を収納するようにしても良い。なお、後面壁２４下部に備えた流入口４にあっては、当該揮散性物質放散用容器１を取り付ける扇風機１０の前面ガード１２に沿うようにこの前面ガード１２に合致する湾曲形状にしても良い。
【００９０】
さらに、揮散性物質放散用容器１に備える放出口５において、その数は、前述したような一つ又は二つのものに限定されるものではなく、三つ以上の複数に、例えば図示はしないが、揮散性物質放散用容器１の形状を十字形状にして、上下左右の四つの放出口５を備えるようにしても良い。また、中央に揮散性物質保持体３の収納し、この中央から放射状に複数延びてそれぞれの先端を放出口５とした構造の揮散性物質放散用容器１でも良い。このように、揮散性物質放散用容器１をいろいろな形状にすることが可能であり、デザイン性を加味させて揮散性物質放散用容器１を製作するようにしても良い。
【図面の簡単な説明】
【００９１】
【図１】本発明の実施形態の揮散性物質放散用容器を用いた揮散性物質の放散方法の説明図である。
【図２】本発明の実施形態の揮散性物質放散用容器を用いた揮散性物質の放散方法の説明図である。
【図３】本発明の実施形態における使用状態を示す説明図である。
【図４】本発明の実施形態における使用状態を示す説明図である。
【図５】本発明の実施形態の揮散性物質放散用容器を用いた揮散性物質の放散方法の説明図である。
【図６】本発明の実施形態の揮散性物質放散用容器を用いた揮散性物質の放散方法の説明図である。
【図７】本発明の第一実施形態の揮散性物質放散用容器の正面図である。
【図８】図７におけるＡ−Ａ断面図である。
【図９】本発明の第一実施形態の揮散性物質放散用容器の平面図である。
【図１０】本発明の第一実施形態の揮散性物質放散用容器の背面図である。
【図１１】本発明の第一実施形態の揮散性物質放散用容器における別の例の断面図である。
【図１２】本発明の第一実施形態の揮散性物質放散用容器における別の例の使用例の説明図である。
【図１３】本発明の第二実施形態の揮散性物質放散用容器の正面図である。
【図１４】図１３におけるＢ−Ｂ断面図である。
【図１５】本発明の第二実施形態の揮散性物質放散用容器の背面図である。
【図１６】揮散性物質放散用容器の内部に収納する揮散性物質保持体の背面図である。
【図１７】揮散性物質放散用容器の内部に収納する揮散性物質保持体の右側面図である。
【図１８】本発明の第三実施形態の揮散性物質放散用容器の正面図である。
【図１９】本発明の第三実施形態の揮散性物質放散用容器の平面図である。
【図２０】本発明の第四実施形態の揮散性物質放散用容器の正面図である。
【図２１】図２０におけるＣ−Ｃ断面図である。
【図２２】本発明の第四実施形態の揮散性物質放散用容器の平面図である。
【図２３】本発明の第五実施形態の揮散性物質放散用容器の正面図である。
【図２４】図２３におけるＤ−Ｄ断面図である。
【図２５】本発明の第五実施形態の揮散性物質放散用容器の背面図である。
【図２６】係止部の概略斜視図である。
【図２７】本発明の第五実施形態の揮散性物質放散用容器における使用例の説明図である。
【図２８】本発明の第六実施形態の揮散性物質放散用容器の正面図である。
【図２９】図２８におけるＥ−Ｅ断面図である。
【図３０】本発明の第六実施形態の揮散性物質放散用容器の平面図である。
【図３１】本発明の第六実施形態の揮散性物質放散用容器の背面図である。
【図３２】本発明の第六実施形態の揮散性物質放散用容器の底面図である。
【図３３】本発明の第六実施形態の揮散性物質放散用容器における別の例の平面図である。
【図３４】本発明の第六実施形態の揮散性物質放散用容器における別の例の背面図である。
【図３５】本発明の第七実施形態の揮散性物質放散用容器の正面図である。
【図３６】本発明の第七実施形態の揮散性物質放散用容器の平面図である。
【図３７】本発明の第七実施形態の揮散性物質放散用容器の一部を断面した側面図である。
【図３８】本発明の第七実施形態の揮散性物質放散用容器の背面図である。
【図３９】本発明の第七実施形態の揮散性物質放散用容器における使用例の説明図である。
【図４０】本発明による揮散性物質放散用容器の他の例を示す説明断面図である。
【図４１】本発明による揮散性物質放散用容器の他の例を示す説明断面図である。
【符号の説明】
【００９２】
１…揮散性物質放散用容器、２…揮散性物質、３…揮散性物質保持体、４…流入口、５…放出口、６…流通路、７…第二放出口、１０…扇風機、１１…羽根、１２…前面ガード、１２ａ…ワイヤ、１２ｂ…外周枠、２１…前面壁、２２…側面壁、２３…下面壁、２４…後面壁、２５…外枠体、２６…含浸材、２７…長孔、２８…挟持板、３１…係止部、３２…係止板、３３…バー、３４…ツメ片、３５…嵌合部、３６…上面壁、３７…ガイド板、３８…フック、３９…掛合孔、４１…段部、５０…ルームエアコン、５１…ルーバー
【図１】
2006325454.tif 000003
【図２】
2006325454.tif 000004
【図３】
2006325454.tif 000005
【図４】
2006325454.tif 000006
【図５】
2006325454.tif 000007
【図６】
2006325454.tif 000008
【図７】
2006325454.tif 000009
【図８】
2006325454.tif 000010
【図９】
2006325454.tif 000011
【図１０】
2006325454.tif 000012
【図１１】
2006325454.tif 000013
【図１２】
2006325454.tif 000014
【図１３】
2006325454.tif 000015
【図１４】
2006325454.tif 000016
【図１５】
2006325454.tif 000017
【図１６】
2006325454.tif 000018
【図１７】
2006325454.tif 000019
【図１８】
2006325454.tif 000020
【図１９】
2006325454.tif 000021
【図２０】
2006325454.tif 000022
【図２１】
2006325454.tif 000023
【図２２】
2006325454.tif 000024
【図２３】
2006325454.tif 000025
【図２４】
2006325454.tif 000026
【図２５】
2006325454.tif 000027
【図２６】
2006325454.tif 000028
【図２７】
2006325454.tif 000029
【図２８】
2006325454.tif 000030
【図２９】
2006325454.tif 000031
【図３０】
2006325454.tif 000032
【図３１】
2006325454.tif 000033
【図３２】
2006325454.tif 000034
【図３３】
2006325454.tif 000035
【図３４】
2006325454.tif 000036
【図３５】
2006325454.tif 000037
【図３６】
2006325454.tif 000038
【図３７】
2006325454.tif 000039
【図３８】
2006325454.tif 000040
【図３９】
2006325454.tif 000041
【図４０】
2006325454.tif 000042
【図４１】
2006325454.tif 000043